(57)【特許請求の範囲】
【請求項１】
前後両端が開口した角筒状のスリーブと、スリーブ内に摺動可能に挿入されるトレー状の容器本体と、容器本体内にセットされる直方体部材とからなり、
粒状内容物を一つだけ取り出せる１ストローク分だけ容器本体をスリーブに対して引出し操作が可能なように、スリーブは該スリーブの後方側部に１ストローク分の長さで切欠部分が形成され、容器本体には該容器本体の前方側端部にスリーブの側部前端に当接するための突出片が設けられるとともに、後方側端部にスリーブの後方側部の切欠部分に当接するための突出片が設けられており、
直方体部材は該直方体部材の下面に前側を支点とする係止片を有するとともに上面に突出係止片を有し、容器本体にはその中底に直方体部材下面の係止片を係合させるための複数の係止部が一定間隔で前後方向に並んで設けられ、スリーブには該スリーブの天井に直方体部材上面の突出係止片を係合させるための複数の係止部が一定間隔で前後方向に並んで設けられており、
後方に位置させた直方体部材の前側に粒状内容物を複数個並んで収納した状態では、最初の一つの粒状内容物を取り出すときは、直方体部材は容器本体一番後側に位置しているが、次の粒状内容物からは、直方体部材はその係止片が折曲げ状態が元に戻ろうとする反発力により容器本体中底の係止部に係合した状態にあり、いずれの場合も直方体部材上面の突出係止片はスリーブ天井の係止部に係合しておらず、この状態から容器本体をスリーブに対して引き出すと、最初の一つのときは直方体部材が容器本体の最後方のまま、次からは直方体部材下面の係止片が容器本体中底の係止部に係合したまま、容器本体が直方体部材と粒状内容物とともに１ストローク分だけ前方に移動して直方体部材上面の突出係止片がスリーブ天井の一つ前の係止部に係合するように動作し、粒状内容物を一つ取り出してから容器本体をスリーブに対して押し込むと、直方体部材上面の突出係止片がスリーブ天井の係止部に係合したまま、直方体部材と残りの粒状内容物は容器本体の中を１ストローク分だけ前方に移動して直方体部材下面の係止片が容器本体中底の一つ前の係止部に係合するように動作することを特徴とするスライド式カートン。
【請求項２】
容器本体をスリーブに対して１ストローク分だけ引き出した際に露出する容器本体の前方側部に切欠部分を設けたことを特徴とする請求項１に記載のスライド式カートン。
【発明の詳細な説明】
【技術分野】
【０００１】
本発明は、板紙からなるカートンの技術分野に属し、詳しくは、粒状の菓子類を収納して販売する際に用いられるスライド式カートンに関するものである。
【背景技術】
【０００２】
従来、粒状の菓子類を複数個収納して販売するためのカートンとして、前後両端が開口した角筒状のスリーブとこのスリーブ内に摺動自在に挿入されるトレー状の容器本体とを組み合わせた二重構造のスライド式カートンが用いられている。このタイプのスライド式カートンは、片手でスリーブを把持し、もう一方の手で容器本体を引き出して内容物を取り出すようになっている。
【先行技術文献】
【特許文献】
【０００３】
【特許文献１】特開平７−２４２２３０号公報
【特許文献２】実用新案登録第３１１７０７１号公報
【発明の概要】
【発明が解決しようとする課題】
【０００４】
上記したタイプのスライド式カートンは、スリーブから容器本体を引き出して内容物を取り出すようになっているので、全体を細長い形状とし、内容物として例えば粒状の菓子類を一列に並べて収納した場合、一つずつ順に取り出すことができるので便利である。しかしながら、容器本体を引き出して内容物を取り出そうと傾けると、内容物が流れるように次々と出てきてしまい、一つずつ確実に取り出すのが難しいという問題があった。また、内容物を全部取り出さない途中の状態で再封すると、持ち運ぶ際に内容物がカートン内でガタついて不安定な状態となり、内容物によっては傷むような事態が起きてしまうという問題点もある。
【０００５】
本発明は、このような問題点に鑑みてなされたものであり、その目的とするところは、粒状の内容物を一つずつ確実に取り出すことができ、全部を取り出していない途中の状態でもガタつくことがないようにしたスライド式カートンを提供することにある。
【課題を解決するための手段】
【０００６】
上記の目的を達成するため、本発明に係るスライド式カートンは、
前後両端が開口した角筒状のスリーブと、スリーブ内に摺動可能に挿入されるトレー状の容器本体と、容器本体内にセットされる直方体部材とからなり、
粒状内容物を一つだけ取り出せる１ストローク分だけ容器本体をスリーブに対して引出し操作が可能なように、スリーブは該スリーブの後方側部に１ストローク分の長さで切欠部分が形成され、容器本体には該容器本体の前方側端部にスリーブの側部前端に当接するための突出片が設けられるとともに、後方側端部にスリーブの後方側部の切欠部分に当接するための突出片が設けられており、
直方体部材は該直方体部材の下面に前側を支点とする係止片を有するとともに上面に突出係止片を有し、容器本体にはその中底に直方体部材下面の係止片を係合させるための複数の係止部が一定間隔で前後方向に並んで設けられ、スリーブには該スリーブの天井に直方体部材上面の突出係止片を係合させるための複数の係止部が一定間隔で前後方向に並んで設けられており、
後方に位置させた直方体部材の前側に粒状内容物を複数個並んで収納した状態では、最初の一つの粒状内容物を取り出すときは、直方体部材は容器本体一番後側に位置しているが、次の粒状内容物からは、直方体部材はその係止片が折曲げ状態が元に戻ろうとする反発力により容器本体中底の係止部に係合した状態にあり、いずれの場合も直方体部材上面の突出係止片はスリーブ天井の係止部に係合しておらず、この状態から容器本体をスリーブに対して引き出すと、最初の一つのときは直方体部材が容器本体の最後方のまま、次からは直方体部材下面の係止片が容器本体中底の係止部に係合したまま、容器本体が直方体部材と粒状内容物とともに１ストローク分だけ前方に移動して直方体部材上面の突出係止片がスリーブ天井の一つ前の係止部に係合するように動作し、粒状内容物を一つ取り出してから容器本体をスリーブに対して押し込むと、直方体部材上面の突出係止片がスリーブ天井の係止部に係合したまま、直方体部材と残りの粒状内容物は容器本体の中を１ストローク分だけ前方に移動して直方体部材下面の係止片が容器本体中底の一つ前の係止部に係合するように動作することを特徴とする。
【０００７】
上記構成のスライド式カートンにおいて、容器本体をスリーブに対して１ストローク分だけ引き出した際に露出する容器本体の前方側部に切欠部分を設けた形態にすることが好ましい。
【発明の効果】
【０００８】
本発明のスライド式カートンは、スリーブに対して容器本体を１ストロークの範囲で往復動させ、開く・取り出す・閉じるの動作を行うことにより、粒状内容物が一つずつ取出し位置に押し出されてくることから、粒状内容物を最後まで一つずつ確実に取り出すことができる。また、粒状内容物が残っていても駒部材により移動することがないので、カートンの中でガタつくことがなく、粒状内容物が傷むような事態も発生しない。
【図面の簡単な説明】
【０００９】
【図１】本発明に係るスライド式カートンの構成部材であるスリーブと容器本体と駒部材の３つを分離状態で示す斜視図である。
【図２】スライド式カートンのスリーブを組み立てるブランクの展開図である。
【図３】スライド式カートンの容器本体を組み立てるブランクの展開図である。
【図４】スライド式カートンの駒部材を組み立てるブランクの展開図である。
【図５】スライド式カートンを作成する様子を示す斜視図である。
【図６】スライド式カートンを開ける様子を示す説明図である。
【図７】スライド式カートンを開けた状態から粒状内容物を取り出して閉じる様子を示す説明図である。
【発明を実施するための形態】
【００１０】
以下、本発明の実施形態について図面を参照しながら詳細に説明する。
【００１１】
図１は本発明に係るスライド式カートンを構成する３つの部材を分離状態でを示す斜視図であり、図示のように、このスライド式カートンは前後両端が開口した角筒状のスリーブ１０と、スリーブ１０内に摺動可能に挿入されるトレー状の容器本体２０と、容器本体２０内にセットされる直方体部材３０とからなる。
【００１２】
図２はスリーブ１０を組み立てるブランクの展開図である。このブランクは板紙を図示の形状に打ち抜いたもので、細長状の５つのパネル、すなわち天面パネル１１、側面パネル１２、底面パネル１３、側面パネル１４、天面内側パネル１５が折線を介して順次連設された形状をしている。図の右方が前側になっており、側面パネル１２，１４の前端には円弧状の切欠１２ａ，１４ａが形成され、一方の側面パネル１４の後方には１ストローク分の長さで切欠部分１４ｂが形成されている。
【００１３】
また、天面内側パネル１５には、図示のように、前寄りにある１つの矩形状の切抜き１５ａ及び前方から後方に向かって広がる複数の二等辺三角形状の切抜き１５ｂがそれらの一部が重なり合う状態で前後方向に連続して並んだ形状の開口が形成されており、このような開口を形成しておくことで、ブランクを組み立てた際にスリーブ１０の天井に左右方向に位置する７つの係止部αが一定間隔で前後方向に並んで形成されることになる。
【００１４】
図３は容器本体２０を組み立てるブランクの展開図である。このブランクは板紙を図示の形状に打ち抜いたもので、図の右方が前側になっており、スリーブ１０より僅かに短い長さをした細長状の底面パネル２１が中央に配置され、その両側にそれぞれ折線を介して側面パネル２２が連設されている。さらに、各側面パネル２２にはそれぞれ折線を介して側面内側パネル２３が連設され、各側面内側パネル２３にはそれぞれ折線を介して底面内側パネル２４が連設されており、各底面内側パネル２４の端縁には、図示のように、複数の連続する台形状の切欠２４ａにより鋸刃形状が形成されている。
【００１５】
この切欠２４ａは、前側から後側に向かって斜めに入り込み、そこから一旦前後方向に平行となり、最後に前後方向と直交するように端縁に出ていく台形状をしており、このような切欠２４ａを連続して形成しておくことで、ブランクを組み立てた際に容器本体２０の中底に左右方向に位置する６つの係止部βが一定間隔で前後方向に並んで形成されることになる。
【００１６】
両サイドの側面パネル２２と側面内側パネル２３には、それらの前寄りのところに半円状の切欠２２ａ，２３ａが向かい合って形成されており、これらの切欠２２ａ，２３ａは側面パネル２２と側面内側パネル２３を折り曲げて重ねた時に、粒状内容物の取出し操作を容易とする半円状の切欠部分Ｃを形成することになる。また、各側面パネル２２の前後にはそれぞれ折込みフラップ２５が設けられている。
【００１７】
底面パネル２１の前部には折線を介して前面パネル２６が連設され、該前面パネル２６には折線を介して前面内側パネル２７が連設されており、底面パネル２１の後部には折線を介して後面パネル２８が連設され、その後面パネル２８には折線を介して後面内側パネル２９が連設されている。そして、前面パネル２６には、両方の折込みフラップ２５に食い込むようにして両サイドに突出片２６ａが形成され、後面パネル２８には、片方の折込みフラップ２５に食い込むようにして片方のサイドだけに突出片２８ａが形成されている。
【００１８】
図４は直方体部材３０を組み立てるブランクの展開図である。このブランクは板紙を図示の形状に打ち抜いたもので、天板３１の前方に前板３２が折線を介して連設され、後方に後板３３、底板３４、糊代片３５が折線を介してこの順で連設され、左右にそれぞれ側板３６が折線を介して連設されている。そして、前板３２の前方には端縁から少し内側に設けた折線を介して係止片３７が連設されている。
【００１９】
また、後板３３と天板３１の境界には、直方体部材３０の上面後方に突出係止片３３ａを形成するために、天板３１側に食い込むようにして中ほどに切欠が形成され、直方体部材３０の下面後方に脚片３３ｂを形成するために、隣接する底板３４に食い込むようにして両サイドに切欠が形成されている。
【００２０】
スライド式カートンを作成するには、図５に示すように、組み立てた容器本体２０の中に同じく組み立てた直方体部材３０と７つの粒状内容物Ａを収納し、この収納状態の容器本体２０を囲むようにしてスリーブ１０を組み立てる。
【００２１】
図３のブランクを組み立てて容器本体２０を作成する手順は次のようである。まず、側面パネル２２と側面内側パネル２３を折り曲げて貼り合わせるとともに底面内側パネル２４を底面パネル２１に貼り合わせる。これにより、図１に示す如く、側面パネル２２と側面内側パネル２３が重なった２重壁の前方上端には切欠２２ａ，２３ａが重なって半円状の切欠部分Ｃが形成され、中底には切欠２４ａにより一定間隔で並んだ６つの係止部βが形成される。
【００２２】
次いで、前方と後方を組み立ててトレー形状にする。すなわち、前方ではフラップ２５を折り込んでから、前面パネル２６と前面内側パネル２７を折り曲げて貼り合わせる。これにより、容器本体２０の前方側端部の両方に突出片２６ａが突き出た状態となる。後方ではフラップ２５を折り込んでから、後面パネル２８と後面内側パネル２９を折り曲げて貼り合わせる。これにより、容器本体２０の後方側端部の片方に突出片２８ａが突き出た状態となる。
【００２３】
図４のブランクから直方体部材３０を組み立てるには、前板３２の内面に糊代片３５を貼り合わせてから天板３１、前板３２、後板３３及び底板３４により角筒状に起こし、左右の側板３６を内側に折り曲げるともに係止片３７を底板３４に沿う方向に折り曲げた状態とする。これにより、図１に示す如く、直方体部材３０の上面後方に突出係止片３３ａが突き出た状態となり、下面後方の両サイドに脚片３３ｂが突き出た状態となる。
【００２４】
そして、容器本体２０の中に直方体部材３０と７つの粒状内容物Ａを収納した後、スリーブ１０を形成するブランクの上に容器本体２０を載置し、まず側面パネル１４と天面内側パネル１５を折り曲げて容器本体２０を覆うようにし、次いで側面パネル１２と天面パネル１１を折り曲げて天面内側パネル１５の上に天面パネル１１を重ねて貼り合わせることにより、スリーブ１０が組み立てられると同時にスライド式カートンが作成される。このようにスリーブ１０を組み立てると、スリーブ１０の天井には一定間隔で並んだ７つの係止部αが形成される。
【００２５】
また、スリーブ１０における側面パネル１４の後方には１ストローク分の長さの切欠部分１４ｂが形成されており、容器本体２０における後面パネル２８の突出片２８ａがこの切欠部分１４ｂの中で移動可能となる。そして、容器本体２０の前方側部に形成される半円状の切欠部分Ｃは、容器本体２０をスリーブに対して１ストローク分だけ引き出した際に露出することになる。
【００２６】
スリーブ式カートンから粒状内容物Ａを取り出すに際しては、図６に示すように、スリーブ１０に対して容器本体２０を引き出す。このとき、容器本体２０の前方側端部の両方にある突出片２６ａを手で把持してスライドさせると、容器本体２０の後方側端部の片方にある突出片２８ａがスリーブ１０の切欠部分１４ｂに当接するまでの１ストローク分だけ引き出すことができる。なお、スリーブ１０における側面パネル１２，１４の前端に円弧状の切欠１２ａ，１４ａを形成してあるので、容器本体２０の前方側端部を手で把持して引き出す操作がしやすくなっている。
【００２７】
最初の一つの内容物Ａを取り出すときは、直方体部材３０は容器本体２０一番後側に位置しているが、次の内容物Ａからは、直方体部材３０はその係止片３７が折曲げ状態が元に戻ろうとする反発力により容器本体中底の係止部βに係合した状態にあり、いずれの場合も直方体部材上面の突出係止片３３ａはスリーブ天井の係止部αに係合していない。この収納状態から容器本体２０をスリーブ１０に対して引き出すと、最初の一つのときは直方体部材３０が容器本体２０の最後方のまま、次からは直方体部材下面の係止片３７が容器本体中底の係止部βに係合したまま、容器本体２０が直方体部材３０と粒状内容物Ａとともに１ストローク分だけ前方に移動して直方体部材上面の突出係止片３３ａがスリーブ天井の一つ前の係止部αに係合するように動作する。
【００２８】
粒状内容物Ａを取り出すに当たっては、容器本体２０の前方側端に半円状の切欠部分Ｃがあることで取出し操作が容易となる。そして、粒状内容物Ａを一つ取り出した後は、図７に示すように、開いた状態から容器本体２０をスリーブ１０に対して押し込む。このとき、容器本体２０の前面パネル２６を手で押してスライドさせると、容器本体２０の前方側端部の両方にある突出片２６ａがスリーブ１０に当接するまでの１ストローク分だけ押し込むことができる。
【００２９】
容器本体２０をスリーブ１０に対して押し込むと、直方体部材上面の突出係止片３３ａがスリーブ天井の係止部αに係合したまま、直方体部材３０と残りの粒状内容物Ａは容器本体２０の中を１ストローク分だけ前方に移動して直方体部材下面の係止片３７が容器本体中底の一つ前の係止部βに係合するように動作する。
【００３０】
このように、開く・取り出す・閉じるの動作を行うことにより、粒状内容物Ａが一つずつ取出し位置に押し出されてくるので、粒状内容物を最後まで一つずつ確実に取り出すことができる。もちろん、開いてから取り出さずにそのまま閉じることも可能である。そして、粒状内容物Ａをいくつかを取り出した後でもガタつくことがないので、粒状内容物Ａが中で転んで傷むようなこともない。
【００３１】
以上、本発明を実施するための形態について詳細に説明してきたが、本発明によるスライド式カートンは、上記の実施形態に何ら限定されるものではなく、本発明の趣旨を逸脱しない範囲において種々の変更が可能であることは当然のことである。例えば、直方体部材の下面の係止片として、本実施例では折り曲げた係止片を用いたが、別の紙片を貼り付けるなどして形成することもできる。
【符号の説明】
【００３２】
１０  スリーブ
１１  天面パネル
１２  側面パネル
１２ａ  切欠
１３  底面パネル
１４  側面パネル
１４ａ  切欠
１４ｂ  切欠部分
１５  天面内側パネル
１５ａ，１５ｂ  切抜き
２０  容器本体
２１  底面パネル
２２  側面パネル
２２ａ  切欠
２３  側面内側パネル
２３ａ  切欠
２４  底面内側パネル
２４ａ  切欠
２５  折込みフラップ
２６  前面パネル
２６ａ  突出片
２７  前面内側パネル
２８  後面パネル
２８ａ  突出片
２９  後面内側パネル
３０  直方体部材
３１  天板
３２  前板
３３  後板
３３ａ  突出係止片
３３ｂ  脚片
３４  底板
３５  糊代片
３６  側板
３７  係止片
α，β  係止部
Ａ  粒状内容物
Ｃ  切欠部分
【図１】
0005930282.tif 000002
【図２】
0005930282.tif 000003
【図３】
0005930282.tif 000004
【図４】
0005930282.tif 000005
【図５】
0005930282.tif 000006
【図６】
0005930282.tif 000007
【図７】
0005930282.tif 000008